(57)【要約】航空機の機上で用いるために適合されて、少なくとも１つの広域ネットワーク（ＷＡＮ）にも接続され得るローカルエリアネットワーク（ＬＡＮ）（モバイルＬＡＮ）全体のデータのスループットを向上させるための方法。コンピュータネットワーク全体のデータのスループットを向上させるために、モバイルＬＡＮのシステムソフトウェアは、必要であればモバイルＬＡＮに接続されたパーソナルコンピュータの演算パラメータ設定値を自動的に評価して変更する。この発明は、また、予め規定された受信者に一連のサンプルファイルのタイプを送信して、ユーザのＰＣにおける演算パラメータ設定値およびデータパケットのサイズを、ユーザの主要な活動に関連するファイルのタイプに対して最速のスループットを生じる１組の値に設定することを含む、リアルタイムのスループット最適化手続きも開示する。
2005532704.tif 000002
【特許請求の範囲】
【請求項１】
プラットフォーム上で用いるために適合されたローカルエリアネットワークと前記ローカルエリアネットワークに接続されたコンピューティングデバイスとを含むコンピュータネットワーク全体のデータのスループットを向上させるための方法であって、
前記コンピューティングデバイスにおける演算パラメータ設定値を決定するステップと、
前記コンピューティングデバイスにおける前記演算パラメータ設定値を、前記コンピュータネットワーク全体のデータのスループットの向上を生じる値に変更するステップとを含む、方法。
【請求項２】
前記演算パラメータが前記コンピュータネットワーク全体のデータのスループットの向上を生じる値に既に設定されている場合、与えられた演算パラメータに対し、前記演算パラメータ設定値を変更するステップをバイパスするステップをさらに含む、請求項１に記載の方法。
【請求項３】
前記コンピューティングデバイスにおける前記演算パラメータ設定値を、前記コンピュータネットワーク全体のデータのスループットの向上を生じる値に変更するステップは、
前記プラットフォーム上の前記ローカルエリアネットワークに前記コンピューティングデバイスを接続するために用いられる接続タイプを決定するステップと、
前記接続タイプを用い、前記コンピュータネットワーク全体のデータのスループットの向上を生じる前記演算パラメータ設定値を決定するステップとをさらに含む、請求項１に記載の方法。
【請求項４】
前記プラットフォーム上の前記ローカルエリアネットワークに前記コンピューティングデバイスを接続するために用いられる前記接続タイプを決定するステップは、前記コンピューティングデバイスが使用するために利用可能な２つ以上の接続タイプを有している場合に、前記コンピューティングデバイスのユーザに前記接続タイプを選択させるステップをさらに含む、請求項３に記載の方法。
【請求項５】
前記コンピューティングデバイスにおけるデータパケットのサイズの設定値を、前記コンピュータネットワーク全体のデータのスループットの向上を生じる値に変更するステップをさらに含む、請求項１に記載の方法。
【請求項６】
前記コンピューティングデバイスにおける前記データパケットのサイズの設定値を、前記コンピュータネットワーク全体のデータのスループットの向上を生じる値に変更するステップは、
前記コンピューティングのユーザが行なうであろう主要なタイプの活動を決定するステップと、
前記主要なタイプの活動を用い、前記コンピュータネットワーク全体のデータのスループットの向上を生じる前記データパケットのサイズを決定するステップとをさらに含む、請求項５に記載の方法。
【請求項７】
前記主要なタイプの活動を用い、前記コンピュータネットワーク全体のデータのスループットの向上を生じる前記データパケットのサイズを決定するステップは、前記ユーザの主要なタイプの活動が前記プラットフォーム上の前記ローカルエリアネットワーク以外のコンピュータネットワークへのアクセスを必要としない場合に、前記データパケットのサイズをその最大値に設定するステップをさらに含む、請求項６に記載の方法。
【請求項８】
前記コンピューティングデバイスのユーザが行なうであろう主要なタイプの活動を決定
するステップと、
前記主要なタイプの活動を用い、前記コンピュータネットワーク全体のデータのスループットの向上を生じる前記演算パラメータ設定値を決定するステップとをさらに含む、請求項１に記載の方法。
【請求項９】
モバイルプラットフォーム上で用いるために適合されたローカルエリアネットワークと前記ローカルエリアネットワークに接続されたコンピューティングデバイスとを含むコンピュータネットワーク全体のデータのスループットを向上させるための方法であって、
前記コンピューティングデバイスから予め規定された受信者に、予め規定された回数だけ、一連のサンプルファイルのタイプを送信するステップと、
前記一連のサンプルファイルが前記予め規定された受信者に送信されるたびに、前記コンピューティングデバイスにおける演算パラメータ設定値を、予め規定された１組の値に変更するステップと、
サンプルファイルのタイプの各々がパーソナルコンピュータから前記予め規定された受信者に移動するのにかかる時間を測定して記録するステップと、
前記コンピューティングデバイスにおける前記演算パラメータ設定値を、記録された最短の転送時間を生じる１組の値に変更するステップとを含む、方法。
【請求項１０】
前記サンプルファイルのタイプは、サンプルのグラフィックファイル、サンプルのテキストファイル、およびサンプルの基本データファイルを含む群から選択される少なくとも１つのファイルのタイプを含む、請求項９に記載の方法。
【請求項１１】
前記予め規定された受信者は、前記モバイルプラットフォーム上には位置付けられていない、請求項９に記載の方法。
【請求項１２】
前記コンピューティングデバイスのユーザに、ユーザが行なうであろう主要なタイプの活動を選択させるステップと、
前記主要なタイプの活動を用い、どの組の演算パラメータが前記記録された最短の転送時間を生じるかを決定するステップとをさらに含む、請求項９に記載の方法。
【請求項１３】
モバイルプラットフォーム上で用いるために適合されたローカルエリアネットワークと前記ローカルエリアネットワークに接続されたコンピューティングデバイスとを含むコンピュータネットワーク全体のデータのスループットを向上させるための方法であって、
どの接続タイプが前記コンピューティングデバイスに存在しているかを決定するステップと、
２つ以上の接続タイプが利用可能である場合に、前記コンピューティングデバイスのユーザに主要な接続タイプを選択させるステップと、
前記コンピューティングデバイスにおける演算パラメータ設定値を決定するステップと、
前記主要な接続タイプを用い、前記コンピュータネットワーク全体のデータのスループットの向上を生じる前記演算パラメータ設定値を決定するステップと、
前記コンピューティングデバイスにおける前記演算パラメータ設定値を、前記コンピュータネットワーク全体のデータのスループットの向上を生じる値に変更するステップとを含む、方法。
【請求項１４】
前記コンピューティングデバイスのユーザに、ユーザが行なうであろう主要なタイプの活動を選択させるステップと、
前記主要なタイプの活動を用い、前記コンピュータネットワーク全体のデータのスループットの向上を生じるデータパケットのサイズを決定するステップと、
行なわれている前記主要なタイプの活動に対して、前記コンピューティングデバイスに
おける前記データパケットのサイズを、前記コンピュータネットワーク全体のデータのスループットの向上を生じるサイズに設定するステップとをさらに含む、請求項１３に記載の方法。
【請求項１５】
前記ユーザが前記コンピュータネットワークからログオフするときに前記データパケットのサイズおよび演算パラメータをそれらの最初の設定値に戻すステップをさらに含む、請求項１４に記載の方法。
【請求項１６】
前記コンピューティングデバイスのユーザに、ユーザが行なうであろう主要なタイプの活動を選択させるステップと、
前記主要なタイプの活動を用い、前記コンピュータネットワーク全体のデータのスループットの向上を生じる前記演算パラメータ設定値を決定するステップと、
行なわれている前記主要なタイプの活動に対して、前記コンピューティングデバイスにおける前記演算パラメータを、前記コンピュータネットワーク全体のデータのスループットの向上を生じる値に設定するステップとをさらに含む、請求項１３に記載の方法。
【発明の詳細な説明】
【技術分野】
【０００１】
発明の分野
この発明は、一般にコンピュータネットワークに関し、より特定的に、モバイルコンピュータネットワークの帯域幅の性能を向上させるための方法に関する。
【背景技術】
【０００２】
発明の背景
コンピュータネットワークは、個人が互いに通信するための比較的便利で信頼性の高い手段に加え、遠隔地からの大量の情報にアクセスしおよび／または遠隔地に大量の情報を転送する能力も提供する。コンピュータネットワークは無限のさまざまなサイズおよび構成を有し、比較的小さな地理上の領域に広がってわずか数台のコンピュータしか含み得ないローカルエリアネットワーク（ＬＡＮ）から、大きな地理上の領域に広がって数百万台のコンピュータを含み得る大きな広域ネットワーク（ＷＡＮ）にまで及ぶ。ＷＡＮは一般に２つ以上のＬＡＮを含む。存在する最大のＷＡＮはインターネット（Internet）である。
【０００３】
ネットワーク化されたコンピュータは、ツイストペア線、同軸ケーブル、または光ファイバケーブル等のさまざまな媒体を用いて接続することができる。しかしながら、ネットワークの中には、接続媒体を用いない代わりに通信媒体として電波を用いるものがある。ＷＡＮに取付けられるコンピュータは、電話システム等の公衆網、直通の専用回路（すなわちＴ−１回線）または衛星を介して接続されることが多い。実際に、利用可能なさまざまな接続方法により、たとえば航空機の機上などのさまざまな状況下でネットワーク接続を確立することが可能になる。
【０００４】
図１を参照すると、典型的なコンピュータネットワーク１０の機能ブロック図が示される。ネットワークは航空機（図示せず）の機上に配置されたＬＡＮ１４（モバイルＬＡＮ）を含む。モバイルＬＡＮ１４により、航空機の機上にいてパーソナルコンピュータ（ＰＣ）１２を用いている乗客は、遠隔地への情報の送信および遠隔地からの情報の受信が可能である。モバイルＬＡＮ１４とインターネット１６および企業内イントラネット１８等の地上波ベースのネットワークとの接続は、宇宙ベースのトランスポンダー２０（すなわち衛星）を用いて達成することができる。
【０００５】
所定のネットワーク全体の性能（すなわちデータのスループット）は、複数の要因に依存して大きく変動し得る。このような要因には、データリンクを接続するために用いられる移送媒体、送信されているデータのタイプ、ユーザが使用しているハードウェア、およびネットワークに沿ってアクセスされる技術のタイプが含まれ得る。一般に、ユーザはこのような要因の多くをほとんどまたは全く制御できない。
【発明の開示】
【発明が解決しようとする課題】
【０００６】
しかしながら、ユーザは、ユーザのＰＣにおける、ユーザによって制御されるハードウェアおよびソフトウェアのパラメータ設定値（演算パラメータ）の１つ以上を調節することによって、ネットワークのスループットの大きな向上を認識できる場合がある。ユーザが送信または受信しようとするデータのタイプおよびネットワークの構成に依存して、ユーザのＰＣにおけるデータパケットのサイズおよびシステムの演算パラメータの設定値を調節してデータのスループットを最大にすることができる。これらの調節は、好ましくは
ユーザのＰＣがモバイルＬＡＮに接続されているときに、ユーザからの入力がほとんどないか、または全くない状態で自動的に行なわれる。したがって、モバイルＬＡＮに接続されたＰＣのハードウェアおよびソフトウェアの設定値を決定するための方法を開発して、必要であればＰＣにおけるパケットサイズおよび或る演算パラメータの設定値を自動的に調節して、ネットワークデータの可能な最大のスループットを得ることが望ましい。
【課題を解決するための手段】
【０００７】
発明の概要
この発明に従い、航空機の機上で用いるために適合されたローカルエリアネットワーク（ＬＡＮ）（モバイルＬＡＮ）を介してデータのスループットを向上させるための好ましい方法およびシステムが開示される。モバイルＬＡＮは、衛星トランスポンダーを用いることによってインターネット等の広域ネットワーク（ＷＡＮ）に接続され得る。航空機の機上のユーザがＰＣをモバイルＬＡＮに接続すると、モバイルＬＡＮのシステムソフトウェアは、どのネットワーク接続タイプがユーザのＰＣに存在しているかを自動的に決定する。２つ以上の接続タイプを利用することができる場合、システムソフトウェアはユーザに対し、主要な接続タイプを選択するように要請する。次に、ソフトウェアは、必要であればその主要な接続タイプに基づいて、ユーザのＰＣにおける演算パラメータの評価および変更にとりかかる。システムソフトウェアは、機上サービスへのアクセスまたはインターネットを介したグラフィックファイルの送受信等の、ユーザが主に行なうであろう活動のタイプに基づいて、ユーザのＰＣにおけるハードウェアおよびソフトウェアの設定値に対してさらに調節を行なうことができる。演算パラメータは、ユーザが行なうであろう活動のタイプに対してネットワークでの最大のデータのスループットを生じることが考えられる、予め規定された値に設定される。必要な調節が完了すると、ユーザはモバイルＬＡＮにログオンされる。
【０００８】
ユーザは、モバイルＬＡＮに接続されている間に、ソフトウェアにリアルタイムのスループット最適化手続きを行なわせるオプションを有する。この手続きは、予め規定された数の一連のサンプルファイルのタイプ、たとえばグラフィック、テキスト、およびデータのファイルを地上波ベースの受信者に送信することを含む。システムソフトウェアは、送信された一連のファイルの各々に対し、ユーザのＰＣにおける演算パラメータ設定値を変更する。一連のファイルの各々が受信者に届くのにかかる実時間が測定され記録される。一連のファイルがすべて送信された後に、ソフトウェアは、ユーザの主要な活動に関連するファイルのタイプに対して最速のスループットを生じた演算パラメータ設定値と一致するように、ユーザのＰＣにおける演算パラメータを変更する。ユーザは所望の頻度でリアルタイムのスループット最適化手続きを行なうことができる。
【０００９】
この発明の利用可能性のさらに別の領域が、以下に述べる詳細な説明から明らかになるであろう。詳細な説明および特定の例は、この発明の好ましい実施例を示しながらも、例示のためにのみ意図されており、この発明の範囲を限定するようには意図されていないことを理解されたい。
【００１０】
この発明は、詳細な説明および添付の図面からより完全に理解されるであろう。
【発明を実施するための最良の形態】
【００１１】
好ましい実施例の詳細な説明
好ましい実施例の以下の説明は、本質的に単に例示であり、この発明、その適用例、または使途を限定するようには意図されていない。
【００１２】
図１を参照すると、この発明は、航空機（図示せず）の機上で用いるために適合されたＬＡＮ１４全体のデータのスループットを最適化するための方法に関する。所望であれば
、衛星２０等の地上外のトランスポンダーを用いることによって、インターネット１６または企業内イントラネット１８等の航空機外に存在する１つ以上のネットワークにモバイルＬＡＮ１４を接続して、ネットワーク間の通信信号を中継することができる。航空機の機上のユーザは、さまざまな接続方法を用いてパーソナルコンピュータ１２（ＰＣ）または他のデジタル装置をモバイルＬＡＮ１４に接続するオプションを有する。この発明のために利用することのできる接続方法は、好ましくはＲＪ−４５コネクタを用いる従来のイーサネット（Ｒ）（Ethernet(R)）（IEEE802.3 10BaseT）接続、従来のＵＳＢバージョン１．０  タイプ−Ｂポート（Version 1.0 Type-B Port）、および従来の無線（Wireless）ＬＡＮ８０２．１１Ｂを含む。しかしながら、他の接続方法を用いて同様に満足のできる結果を得ることもでき、それらの接続方法がこの発明の範囲内にあるものと考えられることを認識されたい。航空機、地上局２１、および衛星２０の間での通信を行なうのに適切なシステムは、その開示内容がこの明細書において引用によって援用される米国出願連続番号第０９／６３９，９１２号に開示されている。
【００１３】
引続き図１を参照すると、従来のネットワークサーバ２２はモバイルＬＡＮ１４のネットワークリソースを管理する。ユーザが以前に述べた３つの接続方法のいずれかを用いてモバイルＬＡＮ１４に自分自身のＰＣ１２を接続すると、ネットワークサーバ２２は接続タイプを自動的に検出して、ユーザのＰＣ１２における予め規定された或るソフトウェアおよびハードウェアの設定値（演算パラメータ）の調節にとりかかる。この調節によってネットワーク接続の帯域幅の性能が向上する。
【００１４】
図２を参照すると、モバイルＬＡＮ１４全体のデータのスループットを向上させるための初期の最適化手続き２４の好ましい方法を示すフロー図が示される。初期の最適化手続き２４は、ユーザがモバイルＬＡＮ１４にログオンする前に行なわれる。初期の最適化手続き２４は、ソフトウェア、ハードウェア、またはそれらの何らかの組合せ等のさまざまな手段を介して行なうことができる。しかしながら、この説明のために、初期の最適化手続き２４はネットワークサーバ２２から実行されたソフトウェアを介して行なわれるものとする。
【００１５】
初期の最適化手続き２４は、ユーザのＰＣ１２とモバイルＬＡＮ１４との間に接続が確立したことをネットワークサーバ２２が検知したときに開始される。この手続き２４は、ユーザのＰＣ１２にどの接続タイプが存在しているかを最初に決定することを含む（ステップ２６）。２つ以上の接続タイプが存在する場合（ステップ２８）、手続き２４はステップ３０に進み、ステップ３０はユーザに対し、利用可能な接続タイプ（すなわちイーサネット（Ｒ）、ＵＳＢ、無線ＬＡＮ）から主要な接続タイプを選択するように求める。しかしながら、ユーザのＰＣ１２が１つの接続タイプしか有していない場合は、ステップ３０をバイパスして、ユーザからの入力をさらに必要とすることなく、その接続タイプが主要な接続タイプとして自動的に設定される（ステップ３２）。
【００１６】
主要な接続タイプが確立されると、初期の最適化手続き２４はステップ３４に進み、そこでユーザのＰＣ１２における現時点での演算パラメータおよびデータパケットのサイズの設定値が評価される。
【００１７】
ネットワークサーバ２２は従来の手段を用い、現時点での演算パラメータおよびデータパケットの設定値を記録して、ユーザが航空機搭載のＬＡＮ１４からログオフするときに、それらが最初の設定値に戻ることができるようにする（図６に示された方法７０を参照）。ステップ３６において、手続き２４は主要な接続タイプに基づいて、ユーザのＰＣ１２に対する最適な演算パラメータ設定値を決定する。次に、必要であれば、手続き２４はユーザのＰＣ１２における演算パラメータを、それらの最適な設定値へと自動的に設定する。
【００１８】
次に図３を参照すると、最適化プロセス２４の次のステップは、ユーザが主に行なうであろう活動のタイプに基づいて、ユーザのＰＣ１２における理想的なハードウェアおよびソフトウェアの設定値ならびに適切なデータパケットのサイズを決定することを含む。実際の設定値は、ユーザが単に機上サービスにアクセスしようとしているか否か、または航空機外での通信リンクの確立を必要とする他のサービスにアクセスしようとしているか否かに依存して変化する。ユーザが単に機上のネットワークサーバ２２にアクセスしようとしている場合（ステップ３８）、手続き２４はデータパケットを可能な最大のサイズに設定する（ステップ４０）。その一方で、遠隔の通信リンクの確立を必要とするサービスにユーザがアクセスしようと考えている場合、ユーザは、行なうことが期待される最も可能性の高い活動のタイプを選択するように要求される（ステップ４２）。ユーザには、Ｅメール、データファイル、およびグラフィックファイルの送受信、またはインターネットのブラウズ等の、そこから選択可能ないくつかの選択肢が与えられる。次に、手続き２４は転送されるデータのタイプに関して、ユーザのＰＣ１２における関連するハードウェアおよびソフトウェアの設定値を評価する。結果として得られた情報から、手続き２４は、最大のネットワークスループットを提供することが考えられる、ユーザのＰＣ１２における最適なパケットサイズおよび適切なハードウェアの設定値を決定する。ハードウェアおよびインターフェイスの設定値が確立されると、手続き２４はユーザのＰＣ１２に対し、必要とされるハードウェアおよびソフトウェアの調節を自動的に行ない（ステップ４４）、これによってユーザはモバイルＬＡＮ１４にログオンすることができる（ステップ４６）。
【００１９】
ユーザは、モバイルＬＡＮ１４に接続されている間に任意の時点で主要な接続タイプを変更するというオプションを有する。このことは、ユーザがモバイルＬＡＮ１４からログオフする必要なしに行なうことができる。図４を参照すると、ユーザがモバイルＬＡＮ１４にログオンした後に主要な接続タイプを変更するための方法４８が示される。ユーザが主要な接続タイプの変更を望む場合、ユーザはまず、利用可能な接続方法（すなわちイーサネット（Ｒ）、ＵＳＢ、または無線ＬＡＮ）から主要な接続タイプを選択しなければならない（ステップ５０）。ユーザのＰＣ１２における現時点での演算パラメータ設定値が、以前に選択された主要な接続タイプに基づいて確立されているため、これらの設定値は、新規に選択された主要な接続タイプに基づいて再評価されなければならない（ステップ５２）。新規の組の演算パラメータを確立すると、手続き２４は、必要であればユーザのＰＣ１２における演算パラメータを適切な設定値に自動的に変更する（ステップ５４）。
【００２０】
ユーザが最初に自分自身のＰＣ１２をモバイルＬＡＮ１４に接続すると、ネットワークシステムは、以前に説明した初期の最適化手続き２４を行なう（図２および図３参照）。初期の最適化手続き２４は、選択された接続タイプおよびユーザが行なうであろう主要な活動に基づいてユーザのＰＣ１２における演算パラメータの設定値を調節することを含む。この手続きはモバイルＬＡＮ１４全体の性能を向上させることが考えられるものの、考え得る最高の性能を生じない場合がある。以前に述べたように、たとえば、送信されているデータのタイプ、ネットワークに接続するためにユーザが用いているハードウェア、およびそれを介してデータが渡るさまざまなネットワークの構成等の、コンピュータネットワークの性能に影響を及ぼし得る多くの要因が存在する。ユーザがモバイルＬＡＮ１４にログオンする前に初期の最適化手続き２４が行なわれるため、この手続きは、ユーザが接続しようと考え得る他のネットワークに関してまだ何も認識していない。したがって、初期の最適化手続き２４は、モバイルＬＡＮ１４以外のネットワークによって生じるネットワーク性能の低下を直接補償することができない。しかしながら、ユーザがモバイルＬＡＮ１４にログオンして通信リンクがモバイルＬＡＮ１４と別のネットワークとの間で確立されると、ユーザのＰＣ１２における演算パラメータの設定値をさらに調節して、他のネットワークによって生じる性能の低下を補償することができる。
【００２１】
図５を参照すると、単にモバイルＬＡＮ１４だけではなく、ネットワーク全体にわたってデータのスループットを向上させる、ユーザのＰＣ１２における演算パラメータの設定値を決定するためのリアルタイムのスループット最適化方法５６が示される。ユーザがリアルタイムの最適化手続き５６の実行を選択した場合、この手続きはまず、ユーザが主に行なうであろう活動のタイプをユーザが入力することを要求する（ステップ５８）。
【００２２】
ユーザが主要な活動を選択した後に、手続き５６はステップ６０に進む。ステップ６０は、ユーザのＰＣ１２に対する適切な演算パラメータ設定値を決定するためにリアルタイムの最適化手続き５６が用いる反復プロセスの起点である。ステップ６０において、手続き５６はユーザのＰＣ１２における演算パラメータを予め規定されたいくつかの値に設定する。次に、さまざまなファイルのタイプのサンプル、たとえばグラフィックファイル、テキストファイル、および基本データファイルが地上の制御局２１（図１参照）に送信されて、ファイルのタイプの各々がすべて配信されるのにかかる時間が測定され記録される（ステップ６４および６６）。このプロセスは、予め規定された回数だけ繰返されて、手続き５６は反復のたびにユーザのＰＣ１２における演算パラメータ設定値を変更する。結果として得られたデータは、与えられたファイルのタイプを転送するのにかかる実時間に関し、或る演算パラメータを変更することが有する影響を示す。結果として得られた情報から、プログラムは、どの演算パラメータ設定値が、与えられたファイルのタイプに対して最速のスループットをもたらすかを決定することができる。ステップ６８において、必要であれば、手続き５６はユーザの主要な活動に関連するファイルのタイプに対して最速のスループットを生じる値と一致するように、ユーザのＰＣ１２における演算パラメータ設定値を調節する。ユーザは、モバイルＬＡＮにログオンしている間、所望の頻度でリアルタイムのスループット最適化手続き５６を実行することができる。図６を参照すると、ユーザが航空機搭載のＬＡＮからログオフするときに、ユーザのＰＣ１２におけるデータパケットのサイズおよび演算パラメータの設定値を、それらの最初の値に戻すための方法７０が示される。ユーザのＰＣ１２が航空機搭載のＬＡＮ１４に最初に接続されたときに、最初の設定値が評価され（ステップ３４）、記録される（ステップ３５）。航空機搭載のＬＡＮ１４からログオフすることを選択すると（ステップ７２）、ネットワークサーバ２２はユーザのＰＣにおけるデータパケットのサイズおよび演算パラメータの設定値を、それらの最初の値にリセットする（ステップ７４）。それらの設定値が最初の値に戻ってから、ユーザは航空機搭載のＬＡＮ１４からログオフする（ステップ７６）。
【００２３】
この発明は、モバイルコンピュータネットワークの帯域幅の性能を向上させるための効果的な手段を提供する。この方法は、ユーザからの入力をほとんど必要とせず、相互接続されて広く異なる技術を用い得る複数のネットワーク全体における帯域幅の性能を向上させることができる。
【００２４】
この発明の説明が本質的に単に例示であるため、この発明の骨子から逸脱しない変更例はこの発明の範囲内あるものと考えられる。このような変更例は、この発明の精神および範囲からの逸脱と考えられるべきではない。
【図面の簡単な説明】
【００２５】
【図１】航空機の機上で用いるために適合されたローカルエリアネットワーク（ＬＡＮ）を含む典型的なコンピュータネットワークの機能ブロック図である。
【図２】ユーザがモバイルＬＡＮにログオンする前に行なわれる、モバイルＬＡＮ全体のスループットを向上させるための方法の好ましい一実施例を示すフロー図である。
【図３】図２に示したフロー図の続きの図である。
【図４】ユーザがモバイルＬＡＮにログオンした後に主要な接続タイプを変更するための方法の好ましい一実施例を示すフロー図である。
【図５】ユーザがモバイルＬＡＮにログオンした後に行なわれる、モバイルＬＡＮを含むネットワーク全体のデータのスループットを向上させるための方法の好ましい一実施例を示すフロー図である。
【図６】ユーザがモバイルＬＡＮからログオフするときに、ユーザのＰＣにおけるデータパケットのサイズおよび演算パラメータの設定値を、それらの最初の値に戻すための方法の好ましい一実施例を示すフロー図である。
【図１】
2005532704.tif 000003
【図２】
2005532704.tif 000004
【図３】
2005532704.tif 000005
【図４】
2005532704.tif 000006
【図５】
2005532704.tif 000007
【図６】
2005532704.tif 000008
【国際調査報告】
2005532704.tif 000009
2005532704.tif 000010
2005532704.tif 000011